(57)【要約】【課題】静止画像の順次表示においてユーザの便宜を図り、作業労力を軽減する。【解決手段】本発明の画像表示制御装置１は、複数の静止画像の表示切替の間隔時間を設定する手段１４１と、画像表示開始からの経過時間を計時する手段１６と、計時手段１６で計時された経過時間が間隔時間と一致すると、表示する静止画像を切り替える手段１７と、静止画像の表示中に間隔時間を変更する手段１５とを具備する。【選択図】    図１
2004325937.tif 000002
【特許請求の範囲】
【請求項１】
複数の静止画像の表示切替の間隔時間を設定する手段と、
画像表示開始からの経過時間を計時する手段と、
前記計時手段で計時された経過時間が前記間隔時間と一致すると、表示する静止画像を切り替える手段と、
静止画像の表示中に前記間隔時間を変更する手段と
を具備することを特徴とする画像表示制御装置。
【請求項２】
静止画像の表示時間の残り時間を表す指標を表示する手段をさらに具備することを特徴とする請求項１記載の画像表示制御装置。
【請求項３】
前記切替手段は、順方向と逆方向のうち指示されたいずれかの方向にしたがって静止画像を切り替えることを特徴とする請求項１記載の画像表示制御装置。
【請求項４】
複数の静止画像の表示切替の間隔時間を設定する手段と、
画像表示開始からの経過時間を計時する手段と、
前記計時手段で計時された経過時間が前記間隔時間と一致すると、表示する静止画像を切り替える手段と、
表示されている静止画像を指示に応じて分類する手段と
を具備することを特徴とする画像表示制御装置。
【請求項５】
静止画像の表示中に前記間隔時間を変更する手段をさらに具備することを特徴とする請求項４記載の画像表示制御装置。
【請求項６】
静止画像の表示時間の残り時間を表す指標を表示する手段をさらに具備することを特徴とする請求項４記載の画像表示制御装置。
【請求項７】
前記切替手段は、順方向と逆方向のうち指示されたいずれかの方向にしたがって静止画像を切り替えることを特徴とする請求項４記載の画像表示制御装置。
【発明の詳細な説明】
【０００１】
【発明の属する技術分野】
本発明は、記録媒体に記録された静止画像データの表示制御を行う画像表示制御装置に関する。
【０００２】
【従来の技術】
ＣＤ（Ｃｏｍｐａｃｔ  Ｄｉｓｋ）、ＤＶＤ（Ｄｉｇｉｔａｌ  ｖｅｒｓａｔｉｌｅ  Ｄｉｓｋ）−ＲＯＭ（Ｒｅａｄ  Ｏｎｌｙ  Ｍｅｍｏｒｙ）、ＤＶＤ−ＲＡＭ（ＤＶＤ  Ｒａｎｄｏｍ  Ａｃｃｅｓｓ  Ｍｅｍｏｒｙ）、内蔵ハードディスクなどの記録媒体には、静止画像データが記録される。
【０００３】
例えば、デジタルカメラで撮影された静止画像データは、ＤＶＤ−ＲＡＭに記録される。ユーザは、ＤＶＤプレイヤを用いて、ＤＶＤ−ＲＡＭに記録されている複数の静止画像データに基づいて表示装置に静止画像を表示し、静止画像を見る。一般的に、ユーザは、複数の静止画像を見る場合、送りボタンを押し、表示される静止画像を切り替える。
【０００４】
従来の静止画像表示装置の中には、設定された時間間隔にしたがって複数の静止画像を順次表示する装置がある（特許文献１参照）。
【０００５】
【特許文献１】
特開２０００−２７６１１７号公報
【０００６】
【発明が解決しようとする課題】
記録媒体の記録容量の増大により、記録媒体に記録される静止画像データの数は増加している。したがって、静止画像を手動で順次表示する場合、ユーザは、その都度、送りボタンを押す必要があり、疲労する。また、表示させる静止画像の数が増加すると、送りボタンが繰り返し押されるため、劣化する。
【０００７】
また、上述した従来の静止画像表示装置では、静止画像の順次表示の開始前に設定された時間間隔にしたがって静止画像が表示される。したがって、ユーザは、静止画像の順次表示を命令し静止画像の表示が開始された後に、表示される静止画像の内容やユーザの判断、ユーザの作業内容を考慮し、画像の表示時間の間隔を変更することは困難である。
【０００８】
本発明は、以上のような実情に鑑みてなされたもので、静止画像の順次表示においてユーザの便宜を図り、作業労力を軽減する画像表示制御装置を提供することを目的とする。
【０００９】
【課題を解決するための手段】
本発明を実現するにあたって講じた具体的手段について以下に説明する。
【００１０】
第１の発明の画像表示制御装置は、複数の静止画像の表示切替の間隔時間を設定する手段と、画像表示開始からの経過時間を計時する手段と、計時手段で計時された経過時間が間隔時間と一致すると、表示する静止画像を切り替える手段と、静止画像の表示中に間隔時間を変更する手段とを具備する。
【００１１】
第２の発明の画像表示制御装置は、複数の静止画像の表示切替の間隔時間を設定する手段と、画像表示開始からの経過時間を計時する手段と、計時手段で計時された経過時間が間隔時間と一致すると、表示する静止画像を切り替える手段と、表示されている静止画像を指示に応じて分類する手段とを具備する。
【００１２】
【発明の実施の形態】
以下、図面を参照しながら本発明の実施の形態について説明する。
【００１３】
本実施の形態においては、静止画像の順次表示中に、表示切替の間隔時間を変更でき、ユーザによる静止画像データの分類作業、編集作業を支援する機能を具備する画像表示制御装置について説明する。
【００１４】
本実施の形態では、画像表示制御装置としてＤＶＤプレイヤの場合を例として説明するが、例えばビデオＣＤプレイヤなどのように、記録媒体に記録された静止画像データに基づいて静止画像を表示装置に表示する他の装置でもよい。
【００１５】
図１は、本実施の形態に係る画像表示制御装置の構成の一例を示すブロック図である。
【００１６】
本実施の形態に係る画像表示制御装置１では、ドライブ２、圧縮展開部３、記録部４、指示受付部５、制御部６、出力部７とが、例えばバス８などを経由して互いにデータを入出力可能に接続されている。
【００１７】
ドライブ２は、例えばＤＶＤ（以下、各種タイプのＤＶＤをＤＶＤと総称する）９などのような記録媒体に記録されている静止画像データＩ１〜Ｉｎの読み込み、ＤＶＤ９へのデータの書き込み、ＤＶＤ９に対するデータの変更、削除を行う。
【００１８】
圧縮展開部３は、圧縮されている静止画像データＩ１〜Ｉｎの展開を行う。また、圧縮展開部３は、ＤＶＤ９に記録されるデータを圧縮する。
【００１９】
本実施の形態では、記録部４として、例えばハードディスク４ａ、メモリ４ｂが用いられる。
【００２０】
指示受付部５は、ユーザの指示をリモートコントローラ１０や操作パネル１１から受け付け、その指示内容を示すデータを制御部６に出力する。ユーザの指示内容としては、例えば、表示切替の間隔時間の設定、変更、静止画像データの分類、削除などがある。
【００２１】
制御部６としては、例えばＣＰＵ（Ｃｅｎｔｒａｌ  Ｐｒｏｃｅｓｓｉｎｇ  Ｕｎｉｔ）などが用いられる。この制御部６は、ＤＶＤ９に記録されている静止画像データＩ１〜Ｉｎについて、出力部７及び例えばディスプレイなどのような表示装置１２を用いて静止画像を表示するための各種制御を実行する。
【００２２】
本実施の形態において、制御部６は、ハードディスク４ａに記録されている画像表示制御プログラム１３で定義される処理を実行する。これにより、制御部６は、読み出し部１４１、設定部１４２、変更部１５、計時部１６、切替部１７、残り時間演算部１８、表示制御部１９、分類部２０、書き込み部２１としての機能を実現する。
【００２３】
読み出し部１４１は、ドライブ２を用いて、ＤＶＤ９に記録されている複数の静止画像データＩ１〜Ｉｎを読み出し、圧縮展開部３を用いて読み出した静止画像データＩ１〜Ｉｎを展開し、メモリ４ｂに記録する。
【００２４】
設定部１４２は、ハードディスク４ａに記録されている初期設定データ２７を、設定データ２７ａとしてメモリ４ｂに記録し、静止画像の表示切替の間隔時間を設定する。
【００２５】
変更部１５は、静止画像を順次表示するための設定データ２７ａを、ユーザの指示にしたがって任意のタイミングで変更する。
【００２６】
図２に示すように、設定データ２７ａは、例えば静止画像の表示切替の間隔時間を表すデータ２７１を含む。また、設定データ２７ａは、それぞれ画像の切替タイミングを表す残り時間インジケータ（表示時間残量グラフ）、残り時間を表すデジタル値、分類結果を表す分類指標などのような各種指標を表示するか否かを表すデータ２７２〜２７４、順次表示を順方向（例えば、画像番号が昇順に変化する）で行うか逆方向（例えば、画像番号が降順に変化する）で行うかを表すデータ２７５を含む。また、設定データ２７ａは、残り時間インジケータなどの各種指標の表示態様（色、背景の色、配置位置、大きさ、種別など）を表すデータ２７６を含む。
【００２７】
計時部１６は、画像表示開始からの経過時間を計時する。例えば、計時部１６は、画像表示開始からカウントを始めるカウンタ２２におけるカウント数に基づいて経過時間を計時する。
【００２８】
切替部１７は、計時部１６で計時された経過時間が、設定されている表示切替の間隔時間と一致すると、メモリ４ｂのデータ２７５に基づいて、順次表示の方向を検出し、検出した方向にしたがって次に表示する静止画像データを決定し、表示する静止画像を切り替える。
【００２９】
残り時間演算部１８は、設定されている表示切替の間隔時間と静止画像の表示時間とに基づいて、静止画像の表示される残り時間を求める。
【００３０】
表示制御部１９は、設定データ２７ａにおいて表示する旨の設定がなされている指標を表す指標データと表示対象の静止画像データとを合成した合成データを作成し、合成データの表示制御を行う。表示制御部１９は、指標データと静止画像データとを合成する場合、データ２７６で表される表示態様に基づいて合成を行う。
【００３１】
例えば、表示制御部１９は、設定データ２７ａのデータ２７２が残り時間インジケータを表示する旨を表す場合、表示対象の静止画像データと残り時間インジケータを示す指標データとを合成した合成データを作成する。
【００３２】
また、表示制御部１９は、設定データ２７ａのデータ２７３が残り時間のデジタル値を表示する旨を表す場合、表示対象の静止画像データと残り時間のデジタル値を示す指標データとを合成した合成データを作成する。
【００３３】
また、表示制御部１９は、設定データ２７ａのデータ２７４が分類指標を表示する旨を表す場合、表示対象の静止画像データと分類結果を示す分類指標データとを合成した合成データを作成する。
【００３４】
そして、合成する際に、残り時間インジケータ、残り時間のデジタル値、分類指標などの各種指標の表示態様については、設定データ２７ａの内容にしたがう。
【００３５】
分類部２０は、ユーザの指示に応じて、表示対象の静止画像データを分類し、分類結果を表す分類データ２３をハードディスク４ａに記録する。
【００３６】
図３に示すように、分類データ２３には、静止画像データＩ１〜Ｉｎの分類先となるカテゴリＣ１〜Ｃｍ、チェックカテゴリＡ、削除カテゴリＤに対応するフォルダが設けられている。分類部２０は、ユーザの指示にしたがって、表示対象の静止画像データをカテゴリＣ１〜Ｃｍ、チェックカテゴリＡ、削除カテゴリＤに対応するフォルダに格納する。
【００３７】
書き込み部２１は、ドライブ２を用いて、分類データ２３で表される分類結果に応じてデータをＤＶＤ９に書き込む。これにより、ＤＶＤ９の編集が実現される。
【００３８】
出力部７は、合成データを表示装置１２に出力する。合成データの作成に用いられる表示対象の静止画像データは、表示切替の間隔時間の経過にあわせて変更されるため、表示装置１２では複数の静止画像が順次表示される。
【００３９】
図４は、本実施の形態に係る画像表示制御装置１による静止画像の表示状態の一例を示す図である。
【００４０】
画像表示制御装置１から出力される合成データは表示装置１２により表示される。これにより静止画像が表示切替の間隔時間に応じて、順方向／逆方向データ２７５で表される方向に順次切り替わる。
【００４１】
静止画像の順次表示中であっても、リモートコントローラ１０のボタンＢ１が押されると、順次表示される画像の表示切替の間隔時間が短くなり、静止画像の切り替えが高速になる。一方、静止画像の順次表示中にリモートコントローラ１０のボタンＢ３が押されると、順次表示される画像の表示切替の間隔時間が長くなり、静止画像の切り替えが低速になる。
【００４２】
静止画像は、ユーザによる設定に応じて、静止画像の切替タイミングを表す残り時間インジケータ２４、残り時間のデジタル値２５、分類指標の一種であるチェック図形２６を含む。
【００４３】
静止画像に含められる各種指標の表示態様は、ユーザが自由に設定可能である。例えば、チェック図形の色、枠及び枠内の色、表示位置、大きさ、残り時間インジケータの色、表示位置、大きさ、残り時間のデジタル値の色、表示位置、大きさは、ユーザによって自由に設定される。
【００４４】
リモートコントローラ１０及び操作パネル１１は、ユーザの指示、ユーザによる各種設定内容を受け付ける。
【００４５】
リモートコントローラ１０のボタンＢ１は、順方向での次の静止画像の表示、順送り開始、表示スピード増加の指示に用いられる。
【００４６】
リモートコントローラ１０のボタンＢ２は、静止画像表示終了、順送り停止の指示に用いられる。
【００４７】
リモートコントローラ１０のボタンＢ３は、逆方向での次の静止画像の表示、逆送り開始、表示スピード減少の指示に用いられる。
【００４８】
具体的には、ユーザによってリモートコントローラ１０のボタンＢ１が押されると、表示装置１２に静止画像が表示される。さらに、ボタンＢ１が押されると、順方向にしたがって自動的に次々と静止画像が表示されていく。
【００４９】
静止画像の切替スピードを速くする場合、さらにユーザによってボタンＢ１が押される。静止画像の切替スピードを遅くする場合、ユーザによってボタンＢ３が押される。静止画像の切替スピードのレベルは、ボタンＢ１，Ｂ３の押される時間に応じて、段階的に切り替わる。
【００５０】
順次表示を停止したい場合、ボタンＢ２が押される。すると、現在表示装置１２に表示されている静止画像の表示が維持される。静止画像の表示を終了したい場合、さらにボタンＢ２が押される。
【００５１】
順次表示が停止された場合にユーザによってボタンＢ３が押されると、逆方向における次の静止画像が表示装置１２に表示される。さらに、ボタンＢ３が押されると、逆方向にしたがって自動的に次々と静止画像が表示されていく。静止画像の切替スピードを速くする場合、ユーザによってボタンＢ１が押される。静止画像の切替スピードを遅くする場合、ユーザによってボタンＢ３が押される。
【００５２】
ユーザはボタン群Ｂｎに属する各ボタンを、画像表示制御装置１の機能に対して自由に割り当てる。本実施の形態では、ユーザは、静止画像データの分類作業を行うために、ボタン群Ｂｎに属する各ボタンに対して、カテゴリＣ１〜Ｃｍ、チェックカテゴリＡ、削除カテゴリＤを割り付けたとする。
【００５３】
ユーザは、順方向又は逆方向に順次表示される静止画像を観察し、切替スピードを調節し、表示されている静止画像の分類先に対応するボタンを押す。これにより、表示されている静止画像に対応する静止画像データを分類、チェック、削除することができる。
【００５４】
図５は、本実施の形態に係る画像表示制御装置１の動作の一例を示すフローチャートである。
【００５５】
画像表示制御装置１の動作は、主に静止画像データの読み出し段階（ステップＳ１）、静止画像の順次表示段階（ステップＳ２）、データ書き込み段階（ステップＳ３）から構成される。
【００５６】
図６は、静止画像データの読み出し段階の一例を示すフローチャートである。
【００５７】
ステップＳ１０１において、指示受付部５は、ユーザから順次表示の開始指示を受け付ける。
【００５８】
ステップＳ１０２において、制御部６は、画像表示制御プログラム１３に定義されている処理の実行を開始する。
【００５９】
ステップＳ１０３において、読み出し部１４１は、ドライブ２を用いて、ＤＶＤ９に記録されており圧縮されている複数の静止画像データＩ１〜Ｉｎを読み出す。
【００６０】
ステップＳ１０４において、読み出し部１４１は、圧縮展開部３を用いて、読み出された複数の静止画像データＩ１〜Ｉｎを展開する。
【００６１】
ステップＳ１０５において、読み出し部１４１は、展開された複数の静止画像データＩ１〜Ｉｎをメモリ４ｂに記録する。
【００６２】
ステップＳ１０６において、設定部１４２は、初期設定データ２７を設定データ２７ａとしてメモリ４ｂに記録し、静止画像の表示切替の間隔時間を設定する。
【００６３】
なお、上記処理において、ステップＳ１０３〜Ｓ１０５とステップＳ１０６とは逆の順序で実行されてもよく、並列に実行されてもよく、順序を任意に変更してもよい。
【００６４】
図７は、静止画像の順次表示段階の一例を示すフローチャートである。
【００６５】
ステップＳ２０１において、切替部１７は、設定データ２７ａに基づいて、最初の表示対象の静止画像データを決定する。
【００６６】
ステップＳ２０２において、指示受付部５は、ユーザから新たな設定データを受け付けた場合、ステップＳ２０３において、変更部１５は、メモリ４ｂの設定データ２７ａとハードディスク４ａの初期設定データ２７とを新たな設定データの内容で書き換える。
【００６７】
ステップＳ２０４において、残り時間演算部１８は、表示対象の静止画像を表示する残り時間を計算する。
【００６８】
ステップＳ２０５において、表示制御部１９は、設定データ２７ａにしたがって、表示対象の静止画像データと必要な指標データとを合成し、合成データを作成する。
【００６９】
ステップＳ２０６においては、出力部７は、合成データを表示装置１２に出力する。これにより、合成データで表される静止画像が表示装置１２に表示される。
【００７０】
ステップＳ２０７において、指示受付部５が、ユーザから分類指示を受け付けた場合、ステップＳ２０８において、分類部２０は、表示対象の静止画像データをユーザの指示した分類先のフォルダに記録し、分類を行う。
【００７１】
ステップＳ２０９において、計時部１６は、設定データ２７ａに含まれている表示切替の間隔時間が経過したか判断する。
【００７２】
表示切替の間隔時間が経過していないと判断された場合、上記ステップＳ２０２に処理は戻る。
【００７３】
表示切替の間隔時間が経過したと判断された場合、ステップＳ２１０において、切替部１７は、設定データ２７ａで設定されている方向にしたがって、新たな表示対象の静止画像データを決定する。これにより、静止画像の切り替えが行われる。
【００７４】
ステップＳ２１１において、制御部６は、例えば全ての静止画像データＩ１〜Ｉｎが表示された場合又はユーザが順次動作終了を指示した場合など、順次表示終了イベントが発生した場合、順次表示を終了する。順次表示終了イベントが発生しない場合、上記ステップＳ２０２に処理は戻る。
【００７５】
図８は、データ書き込み段階の一例を示すフローチャートである。
【００７６】
ステップＳ３０１において、指示受付部５は、ユーザから書き込み指示を受け付ける。
【００７７】
ステップＳ３０２において、書き込み部２１は、ハードディスク４ａに記録されている分類データ２３を読み出す。
【００７８】
ステップＳ３０３において、書き込み部２１は、分類データ２３において削除カテゴリＤを除く他のカテゴリＣ１〜Ｃｍ及びチェックカテゴリＡに属する静止画像データ、すなわち書き込み対象の静止画像データの圧縮を圧縮展開部３に依頼する。
【００７９】
ステップＳ３０４において、圧縮展開部３は、カテゴリＣ１〜Ｃｍ及びチェックカテゴリＡに属する静止画像データを圧縮する。
【００８０】
ステップＳ３０５において、書き込み部２１は、ドライブ２を用いて、カテゴリＣ１〜Ｃｍ及びチェックカテゴリＡに属し圧縮された静止画像データと分類結果とを表すデータをＤＶＤ９に書き込む。
【００８１】
以上説明した本実施の形態に係る画像表示制御装置１では、設定された表示切替の間隔時間を経過する度に、静止画像を自動的に切り替えることができ、順次表示開始後であっても静止画像の切替間隔や各種指標の表示態様を自由に変更できる。
【００８２】
これにより、ユーザは、多数の静止画像を表示する場合であっても静止画像の切り替えを行う度にボタンを押す必要がなく、静止画像を見る労力が軽減される。また、ボタンの劣化を防止できる。
【００８３】
さらに、ユーザは、リアルタイムで自分の希望にそった間隔で静止画像を順次表示させていくことができる。ユーザは、自己の作業内容、自己の判断、表示される静止画像の価値などに応じて自由に表示切替の間隔時間を変更できる。
【００８４】
例えば、静止画像を人に見せたい場合や注意深く観察したい場合、ユーザは迅速かつ容易に表示間隔を長くすることができる。一方、編集作業を効率的に行いたい場合や静止画像を早く切り替えたい場合、ユーザは、迅速かつ容易に表示間隔を短くすることができる。
【００８５】
ユーザは、デジタルカメラなどにより大量の静止画像を撮影し、大量の静止画像データを記録したとする。ユーザは、大量の静止画像データのうち自分にとって価値の高いデータが連続する部分については表示間隔を長くし、価値の低いデータが連続する部分については表示間隔を短くできる。
【００８６】
また、本実施の形態に係る画像表示制御装置１では、静止画像の順次表示にあわせて静止画像データをユーザの操作にしたがって分類、削除できる。これにより、ユーザによる分類、編集作業の効率を向上させることができる。画像の表示間隔を自由に変更できるため、ユーザは、分類、編集作業を正確かつ効率的に行うことができる。
【００８７】
また、本実施の形態に係る画像表示制御装置１では、表示の残り時間を表す指標、分類結果を表す指標などが表示される。これにより、ユーザは、表示される残り時間を意識して表示時間を有効に使って静止画像を判断し、分類、編集できる。
【００８８】
例えば、ある静止画像データを削除しようとしてユーザによって削除ボタンが押されたが、表示対象の静止画像データが切り替わり、ユーザが削除しようとした静止画像データの次の静止画像データが削除されるなどの操作ミスを防止できる。
【００８９】
なお、上記実施の形態において、画像表示制御装置１の各構成要素は、プログラムにより実現される部分がハードウェアによって実現されるとしてもよい。
【００９０】
また、本実施の形態に係る画像表示制御装置１に具備される各構成要素は、同様の動作を実現可能であれば配置を変更させてもよく、また各構成要素を自由に組み合わせてもよく、各構成要素を自由に分割してもよく、いくつかの構成要素を削除してもよい。例えば、圧縮展開部３と制御部６とカウンタ２２とをまとめて一つの構成要素としてもよい。
【００９１】
すなわち、本発明は、上記実施形態そのままに限定されるものではなく、実施段階ではその要旨を逸脱しない範囲で構成要素を変形して具体化できる。
【００９２】
【発明の効果】
以上詳記したように本発明においては、静止画像の順次表示においてユーザの便宜を図り、ユーザの作業労力を軽減できる。
【図面の簡単な説明】
【図１】本発明の実施の形態に係る画像表示制御装置の構成の一例を示すブロック図。
【図２】設定データの内容の一例を示す図。
【図３】分類データの内容の一例を示す図。
【図４】同実施の形態に係る画像表示制御装置による静止画像の表示状態の一例を示す図。
【図５】同実施の形態に係る画像表示制御装置の動作の一例を示すフローチャート。
【図６】静止画像データの読み出し段階の一例を示すフローチャート。
【図７】静止画像の順次表示段階の一例を示すフローチャート。
【図８】データ書き込み段階の一例を示すフローチャート。
【符号の説明】
１…画像表示制御装置、２…ドライブ、３…圧縮展開部、４…記録部、４ａ…ハードディスク、４ｂ…メモリ、５…指示受付部、６…制御部、７…出力部、８…バス、９…ＤＶＤ、１０…リモートコントローラ、１１…操作パネル、１２…表示装置、１３…画像表示制御プログラム、１４１…読み出し部、１４２…設定部１４２、１５…変更部、１６…計時部、１７…切替部、１８…残り時間演算部、１９…表示制御部、２０…分類部、２１…書き込み部、２２…カウンタ、２３…分類データ、２７…初期設定データ、２７ａ…設定データ、Ｉ１〜Ｉｎ…静止画像データ
【図１】
2004325937.tif 000003
【図２】
2004325937.tif 000004
【図３】
2004325937.tif 000005
【図４】
2004325937.tif 000006
【図５】
2004325937.tif 000007
【図６】
2004325937.tif 000008
【図７】
2004325937.tif 000009
【図８】
2004325937.tif 000010